(57)【要約】【課題】  たとえば型成形の観点から洗面器置きカウンターの幅寸法の種類や洗面器置きカウンターの一端が取り合う部位の違いなどを考慮して、洗面器置きカウンターの構成および取合い形態などが設計されたユニットバス。【解決手段】  浴槽（１）と浴室壁面（２）との間にサイドカウンター（３）が設けられたユニットバス。浴室壁面に沿ってサイドカウンターに隣接して洗面器置きカウンター（４）が設けられている。洗面器置きカウンターの上側面（４ａ）は、その幅の全体に亘って浴室壁面から手前に向かう下向きの所定勾配を有する。洗面器置きカウンターのサイドカウンター側の端部が、サイドカウンターの洗面器置きカウンター側の端部の直下に位置決めされている。洗面器置きカウンターは、型成形されて両側に水平部を有する別タイプの洗面器置きカウンターの両端部を切断することにより形成されている。【選択図】  図１
2005287530.tif 000002
【特許請求の範囲】
【請求項１】
浴槽と浴室壁面との間にサイドカウンターが設けられたユニットバスにおいて、
前記浴室壁面に沿って前記サイドカウンターに隣接して洗面器置きカウンターが設けられ、
前記洗面器置きカウンターの上側面は、その幅の全体に亘って前記浴室壁面から手前に向かう下向きの所定勾配を有し、
前記洗面器置きカウンターのサイドカウンター側の端部が前記サイドカウンターの洗面器置きカウンター側の端部の直下に位置決めされ、
前記洗面器置きカウンターは、両側に水平部を有する洗面器置きカウンターの両端部を切断することにより形成されていることを特徴とするユニットバス。
【請求項２】
前記洗面器置きカウンターのサイドカウンター側の端部と前記サイドカウンターの洗面器置きカウンター側の端部との取合い部において、前記洗面器置きカウンターの奥行き寸法と前記サイドカウンターの奥行き寸法とがほぼ一致していることを特徴とする請求項１に記載のユニットバス。
【請求項３】
前記洗面器置きカウンターのサイドカウンター側の上側面と前記サイドカウンターの洗面器置きカウンター側の下端面とが当接していることを特徴とする請求項１または２に記載のユニットバス。
【発明の詳細な説明】
【技術分野】
【０００１】
本発明は、ユニットバスに関し、特にユニットバスにおいて浴室壁面に隣接して設置される洗面器置きカウンターに関するものである。
【背景技術】
【０００２】
従来、ユニットバスでは、石鹸やシャンプーなどを載置するための洗面器置きカウンターが浴室壁面に隣接して設置される。通常、洗面器置きカウンターは、その一端の上側面が浴槽の垂下フランジの下端面に当接するように設置される。ここで、浴槽の垂下フランジの下端面は、水平に型成形される。
【０００３】
また、洗面器置きカウンターの上側面には、浴室壁面から手前に向かう下向きの水勾配が設けられる。この場合、洗面器置きカウンターの一端の上側面にも水勾配が設けられていると、浴槽の垂下フランジの下端水平面との間に隙間が発生することになる。洗面器置きカウンターの一端の上側面と浴槽の垂下フランジの下端水平面との間に隙間ができると、衛生および美観を損なう恐れがある。
【０００４】
そこで、洗面器置きカウンターの一端の上側面を浴槽の垂下フランジの下端水平面とほぼ完全に当接させるために、洗面器置きカウンターの端部、すなわち浴槽の垂下フランジの下端水平面と対向する部分に水平部を設けている。
【発明の開示】
【発明が解決しようとする課題】
【０００５】
ところで、浴槽は、尺モジュールにしたがって型成形される。これに対し、ユニットバスは、尺モジュールにしたがって設計されたり、時にはメートルモジュールで設計されたりする。ユニットバスをメートルモジュールで設計する場合、浴槽と浴室壁面との間にサイドカウンターを付設することが多い。
【０００６】
浴槽と浴室壁面との間にサイドカウンターが付設される場合、洗面器置きカウンターの一端とサイドカウンターの一端とが取り合うことになる。また、ユニットバスを尺モジュールで設計する場合とメートルモジュールで設計する場合とでは、洗面器置きカウンターの幅寸法が異なる。
【０００７】
従来技術では、たとえば型成形の観点から洗面器置きカウンターの幅寸法の種類や洗面器置きカウンターの一端が取り合う部位の違いなどを考慮して、洗面器置きカウンターの構成および取合い形態などを具体的に設計することがなかった。
【０００８】
本発明は、前述の課題に鑑みてなされたものであり、たとえば型成形の観点から洗面器置きカウンターの幅寸法の種類や洗面器置きカウンターの一端が取り合う部位の違いなどを考慮して、洗面器置きカウンターの構成および取合い形態などが設計されたユニットバスを提供することを目的とする。
【課題を解決するための手段】
【０００９】
前記課題を解決するために、本発明では、浴槽と浴室壁面との間にサイドカウンターが設けられたユニットバスにおいて、
前記浴室壁面に沿って前記サイドカウンターに隣接して洗面器置きカウンターが設けられ、
前記洗面器置きカウンターの上側面は、その幅の全体に亘って前記浴室壁面から手前に向かう下向きの所定勾配を有し、
前記洗面器置きカウンターのサイドカウンター側の端部が前記サイドカウンターの洗面器置きカウンター側の端部の直下に位置決めされ、
前記洗面器置きカウンターは、型成形されて両側に水平部を有する別タイプの洗面器置きカウンターの両端部を切断することにより形成されていることを特徴とするユニットバスを提供する。
【００１０】
本発明の好ましい態様によれば、前記洗面器置きカウンターのサイドカウンター側の端部と前記サイドカウンターの洗面器置きカウンター側の端部との取合い部において、前記洗面器置きカウンターの奥行き寸法と前記サイドカウンターの奥行き寸法とがほぼ一致している。また、前記洗面器置きカウンターのサイドカウンター側の上側面と前記サイドカウンターの洗面器置きカウンター側の下端面とが当接していることが好ましい。
【発明の効果】
【００１１】
本発明では、浴槽と浴室壁面との間にサイドカウンターが設けられ、浴室壁面に沿ってサイドカウンターに隣接して洗面器置きカウンターが設けられている。ここで、洗面器置きカウンターの上側面は、その幅の全体に亘って浴室壁面から手前に向かう下向きの所定勾配（すなわち水勾配）を有する。
【００１２】
また、洗面器置きカウンターのサイドカウンター側の端部は、サイドカウンターの洗面器置きカウンター側の端部の直下に位置決めされている。このように、洗面器置きカウンターの端部には水平部が設けられておらず、たとえば型成形されて両側に水平部を有する別タイプの洗面器置きカウンターの両端部を切断することにより形成されている。
【００１３】
換言すれば、上述の勾配タイプの洗面器置きカウンターは、幅寸法がより大きく且つ浴槽の垂下フランジの下端水平面と当接する別タイプの洗面器置きカウンターの両端部を切断することにより形成されている。このことは、洗面器置きカウンター用の１つの型を用いて、幅寸法および取り合う部位の異なる２つのタイプの洗面器置きカウンターをコスト的に有利に製造することができることを意味している。
【００１４】
以上のように、本発明では、上述の特徴的な構成に基づいて、たとえば型成形の観点から洗面器置きカウンターの幅寸法の種類や洗面器置きカウンターの一端が取り合う部位の違いなどを考慮して、洗面器置きカウンターの構成および取合い形態などが設計されたユニットバスを実現することができる。
【００１５】
なお、本発明では、洗面器置きカウンターのサイドカウンター側の端部とサイドカウンターの洗面器置きカウンター側の端部との取合い部において、洗面器置きカウンターの奥行き寸法とサイドカウンターの奥行き寸法とがほぼ一致していることが好ましい。この構成により、洗面器置きカウンターとサイドカウンターとの取合い部の納まりが良く、たとえば衛生や美観に優れた構造を実現することができる。
【００１６】
また、本発明では、洗面器置きカウンターのサイドカウンター側の上側面とサイドカウンターの洗面器置きカウンター側の下端面とが当接していることが好ましい。すなわち、サイドカウンターの洗面器置きカウンター側の下端面には、洗面器置きカウンターの上側面の所定勾配とほぼ同じ勾配が設けられていることが好ましい。この構成により、洗面器置きカウンターとサイドカウンターとの取合い部（当接部）の納まりがさらに良くなる。
【発明を実施するための最良の形態】
【００１７】
本発明の実施形態を、添付図面に基づいて説明する。
図１は、本発明の実施形態にかかるユニットバスにおける浴槽、サイドカウンターおよび洗面器置きカウンターの平面的配置を概略的に示す上面図である。また、図２は、本実施形態にかかる勾配タイプの洗面器置きカウンターの製造を概略的に示す図である。
【００１８】
また、図３は、本実施形態における洗面器置きカウンターとサイドカウンターとの当接形態を概略的に示す全体断面図である。また、図４は、本実施形態における洗面器置きカウンターとサイドカウンターとの当接形態を概略的に示す拡大斜視図である。図１を参照すると、本実施形態のユニットバスでは、浴槽１と浴室壁面２との間にサイドカウンター３が設けられている。
【００１９】
また、浴室壁面２に沿ってサイドカウンター３に隣接するように、洗面器置きカウンター４が設けられている。ここで、洗面器置きカウンター４は、石鹸やシャンプーなどを載置するためのカウンターであって周知の全体構成を有する。また、サイドカウンター３も、補助的なカウンターであって周知の全体構成を有する。
【００２０】
ただし、洗面器置きカウンター４の上側面４ａは、その幅の全体に亘って浴室壁面２から手前に向かう下向きの所定勾配（図１中矢印で示すような２度程度の水勾配）を有する。さらに、洗面器置きカウンター４のサイドカウンター３側の上側面４ｂとサイドカウンター３の洗面器置きカウンター４側の下端面３ａ（図１では不図示）とが当接するように設定されている。
【００２１】
このように、本実施形態において、洗面器置きカウンター４の端部には水平部が設けられていない。したがって、サイドカウンター３の洗面器置きカウンター側の下端面３ａには、洗面器置きカウンター４の上側面４ａ（ひいてはサイドカウンター３側の上側面４ｂ）の勾配とほぼ同じ勾配（たとえば２度程度の面勾配）が設けられていることになる。
【００２２】
本実施形態にかかる勾配タイプの洗面器置きカウンター４、すなわち図２（ｂ）に示す洗面器置きカウンター４は、図２（ａ）に示す別タイプの型成形された洗面器置きカウンター４０の両端部を切断することにより得られる。ここで、別タイプの洗面器置きカウンター４０は、勾配タイプの洗面器置きカウンター４の幅寸法ｄよりも大きな幅寸法Ｄを有し、且つ浴槽の垂下フランジの下端水平面と当接するための水平部４０ａを端部に備えている。
【００２３】
こうして得られた勾配タイプの洗面器置きカウンター４は、図３および図４に示すようにサイドカウンター３と当接する形態で設置される。すなわち、洗面器置きカウンター４のサイドカウンター３側の上側面４ｂとサイドカウンター３の洗面器置きカウンター４側の下端面３ａとがほぼ完全に当接するように設定される。なお、洗面器置きカウンター４の上側面４ｂとサイドカウンター３の下端面３ａとの当接部において、洗面器置きカウンター４の奥行き寸法とサイドカウンター３の奥行き寸法とがほぼ一致するように設定されている。
【００２４】
以上のように、本実施形態では、勾配タイプの洗面器置きカウンター４は、型成形されて両側に水平部４０ａを有する別タイプの洗面器置きカウンター４０の両端部を切断することにより、すなわち幅寸法がより大きく且つ浴槽の垂下フランジの下端水平面と当接する別タイプの洗面器置きカウンター４０の両端部を切断することにより得ることができる。このことは、洗面器置きカウンター用の１つの型を用いて、幅寸法および取り合う部位の異なる２つのタイプの洗面器置きカウンター４と４０とをコスト的に有利に製造することができることを意味している。
【００２５】
こうして、本実施形態では、たとえば型成形の観点から洗面器置きカウンターの幅寸法の種類や洗面器置きカウンターの一端が取り合う部位の違いなどを考慮して、洗面器置きカウンターの構成および取合い形態などが設計されたユニットバスを実現することができる。また、本実施形態では、洗面器置きカウンター４の奥行き寸法とサイドカウンター３の奥行き寸法とが取合い部においてほぼ一致しているので、洗面器置きカウンター４とサイドカウンター３との取合い部の納まりが良く、たとえば衛生や美観に優れた構造を実現することができる。
【００２６】
また、本実施形態では、洗面器置きカウンター４のサイドカウンター側の上側面とサイドカウンター３の洗面器置きカウンター側の下端面とが当接している。すなわち、サイドカウンター３の洗面器置きカウンター側の下端面には、洗面器置きカウンター４の上側面の所定勾配とほぼ同じ勾配が設けられている。その結果、洗面器置きカウンター４とサイドカウンター３との取合い部（当接部）の納まりがさらに良くなっている。
【００２７】
なお、上述の実施形態では、洗面器置きカウンター４の奥行き寸法とサイドカウンター３の奥行き寸法とが取合い部においてほぼ一致している。また、洗面器置きカウンター４のサイドカウンター側の上側面とサイドカウンター３の洗面器置きカウンター側の下端面とが当接している。しかしながら、これに限定されることなく、洗面器置きカウンター４の奥行き寸法とサイドカウンター３の奥行き寸法とが実質的に異なる形態や、洗面器置きカウンター４のサイドカウンター側の上側面とサイドカウンター３の洗面器置きカウンター側の下端面とが実質的に当接しない形態など、本発明の範囲内において様々な変形例が可能である。
【図面の簡単な説明】
【００２８】
【図１】本発明の実施形態にかかるユニットバスにおける浴槽、サイドカウンターおよび洗面器置きカウンターの平面的配置を概略的に示す上面図である。
【図２】本実施形態にかかる勾配タイプの洗面器置きカウンターの製造を概略的に示す図である。
【図３】本実施形態における洗面器置きカウンターとサイドカウンターとの当接形態を概略的に示す全体断面図である。
【図４】本実施形態における洗面器置きカウンターとサイドカウンターとの当接形態を概略的に示す拡大斜視図である。
【符号の説明】
【００２９】
１  浴槽
２  浴室壁面
３  サイドカウンター
４  勾配タイプの洗面器置きカウンター
４０  別タイプの洗面器置きカウンター
【図１】
2005287530.tif 000003
【図２】
2005287530.tif 000004
【図３】
2005287530.tif 000005
【図４】
2005287530.tif 000006